(57)【要約】【課題】  ユーザーが外から中身を知ることのできるたばこ品のパッケージを提供すること。【解決手段】  第一と第二の型の紙巻きたばこが入っていて、第一型の紙巻きたばこと第二型の紙巻ききたばこがパッケージ（１；１６）の中のどこに位置するかを示すことでユーザーが紙巻きたばこを特定できるようにする、グラフィック要素（１５）を有することを特徴とする紙巻きたばこのパッケージ（１；１６）。【選択図】      図１
2006056603.tif 000002
【特許請求の範囲】
【請求項１】
所定の第一型と少なくとも所定の第二型のたばこ品を具備する細長いたばこ品のパッケージであって；該たばこ品は少なくともたばこ品の一グループ（２；３）を形成するように互いに整然と平行に配置されているものであって
；該パッケージ（１；１６）は、該パッケージ（１；１６）の中のどちらのたばこ品が第一型のたばこ品であり、該パッケージ（１；１６）の中のどちらのたばこ品が第二型のたばこ品であるかをユーザーが特定できるようにするマーキング手段（１５）を具備することを特徴とする、細長いたばこ品のパッケージ。
【請求項２】
外表面（１４）を具備していて；
マーキング手段（１５）は外表面（１４）上の第一と少なくとも第二のグラフィック要素を具備し；第二のグラフィック要素は第一のグラフィック要素と異なり；第一のグラフィック要素は第一型のたばこ品が独占的に入っているパッケージ（１；１６）の部分をユーザーが特定できるようにし；また第二のグラフィック要素は第二型のたばこ品が独占的に入っているパッケージ（１；１６）の部分をユーザーが特定できるようにしてある、請求項１に記載のパッケージ。
【請求項３】
二つの広い側壁（８，９）、二つの狭い側壁（１０）、底面壁（１１）、および開口端（５）を有する実質的に平行六面体形の容器（４）と；開いた位置と閉じた位置の間をそれぞれ上端（５）を開閉しながら回転するよう第一のちょうつがい（７）に沿って取付けられたカップ形のふた（６）と；上端（５）から一部突出しているカラー（C）とを具備していて；
前記のマーキング手段（１５）がカラー（C）を含んで成る、請求項１あるいは２に記載のパッケージ。
【請求項４】
カラー（C）は少なくとも上端（５）の上に広がっている上縁（E）を有していて；前記のマーキング手段（１５）は前記の上縁（E）を含んで成り；上縁（E）は第一型のたばこ品が独占的に入っているパッケージ（１；１６）の部分、および第二型のたばこ品が独占的に入っているパッケージ（１；１６）の部分をユーザーが特定できるように形成されている、請求項３に記載のパッケージ。
【請求項５】
マーキング手段（１５）は、カラー（C）上に位置し、かつふた（６）が開いた位置にある場合目に見える第三と少なくとも第四のグラフィック要素を含んで成り；第四のグラフィック要素は第三のグラフィック要素と異なっており；第三のグラフィク要素は第一型のたばこ品が独占的に入っているパッケージ（１；１６）の部分をユーザーが特定できるようになっていて；また第四のグラフィク要素は第二型のたばこ品が独占的に入っているパッケージ（１；１６）の部分をユーザーが特定できるようになっている、請求項３あるいは４に記載のパッケージ。
【請求項６】
たばこ品は少なくとも二つのグループ（２，３）のたばこ品を形成するために互いに整然と平行に配置され、たばこ品の各グループ（２，３）は個々の型のたばこ品を具備している、請求項１―５のいずれか一項に記載のパッケージ。
【請求項７】
たばこ品の各グループ（２，３）は個々の内部ラッピングで包装されている、請求項６に記載のパッケージ。
【請求項８】
マーキング手段（１５）は前記の内部ラッピングを含んで成る、請求項７に記載のパッケージ。
【請求項９】
第一材料製の第一の内部ラッピングで包装されたたばこ品の第一グループ（２）、及び少なくとも第二材料製の第二の内部ラッピングで包装されたたばこ品の第二グループ（３）を具備していて；第一と第二材料は互いに異なっている、請求項８に記載のパッケージ。
【請求項１０】
第一の内部ラッピングで包装されたたばこ品の第一グループ（２）、および少なくとも第二の内部ラッピングで包装されたたばこ品の第二グループ（３）を具備していて；マーキング手段（１５）は第一の内部ラッピング上の第五のグラフィック要素、および第二の内部ラッピング上に位置しかつ第五のグラフィック要素と異なる第六のグラフィック要素を含んで成り；たばこ品の第一と第二グループ（２，３）はそれぞれ第一と第二型のたばこ品を含んでいる、請求項１―９のいずれか一項に記載のパッケージ。
【請求項１１】
第一型のたばこ品は第一の直径を有し；第二型のたばこ品は第一の直径と異なる第二の直径を有し；また前記のマーキング手段（１５）は第一と第二の直径を含んで成る、請求項１―１０のいずれか一項に記載のパッケージ。
【請求項１２】
第一型のたばこ品は第一型のフィルターを有していて；第二型のたばこ品は第一型のフィルターと異なる第二型のフィルターを有しており；また前記のマーキング手段（１５）は第一と第二型のフィルターを含んで成る、請求項１―１１のいずれか一項に記載のパッケージ。
【請求項１３】
マーキング手段（１５）は第一型のフィルター上の第七のグラフィック要素と、第二型のフィルター上に位置しかつ第七のグラフィック要素と異なる第八のグラフィック要素とを含んで成る、請求項１２に記載のパッケージ。
【請求項１４】
第一型のたばこ品は第一型の巻紙を有していて；第二型のたばこ品は第一型の巻紙と異なる第二型の巻紙を有しており；かつ前記のマーキング手段（１５）は第一と第二型の巻紙を具備している、請求項１―１３のいずれか一項に記載のパッケージ。
【請求項１５】
マーキング手段（１５）は、第一型の巻紙上の第九のグラフィック要素、および第二型の巻紙上に位置しかつ第九のグラフィック要素と異なる第十のグラフィック要素を含んで成る、請求項１４に記載のパッケージ。
【請求項１６】
各グラフィック要素は少なくとも一つの個々の単語を含んで成る、請求項２，５，１０，１３および１５のいずれか一項に記載のパッケージ。
【請求項１７】
各グラフィック要素は少なくとも一つの個々の図面を含んで成る、請求項２、５、１０，１３，１５および１６のいずれか一項に記載のパッケージ。
【請求項１８】
各グラフィック要素は少なくとも一つの個々の色を含んで成る、請求項２，５，１０，１３，１５，１６および１７のいずれか一項に記載のパッケージ。
【請求項１９】
各グラフィック要素は少なくとも一つの個々の印刷された要素を含んで成る、請求項２，５，１０，１３，１５，１６，１７および１８のいずれか一項に記載のパッケージ。
【請求項２０】
各グラフィック要素は少なくとも一つの個々のエンボス加工した要素を含んで成る、請求項２，５，１０，１３，１５，１６，１７，１８および１９のいずれか一項に記載のパッケージ。
【請求項２１】
第一型のたばこ品から成るパッケージ（１；１６）の部分を第二型のたばこ品から成るパッケージ（１；１６）の部分から隔てる分離手段を具備している、請求項１―２０のいずれか一項に記載のパッケージ。
【請求項２２】
請求項１―１４のいずれか一項に記載のパッケージ（１；１６）を製作しかつ前記のマーキング手段（１５）を有している包装材料のシート。
【発明の詳細な説明】
【技術分野】
【０００１】
本発明は細長いたばこ品のパッケージに関する。
【０００２】
本発明は紙巻きたばこの堅い箱に対して特に利点のあるものとして利用され、単なる事例を用いて以下に説明されている。
【背景技術】
【０００３】
紙巻きたばこの箱には品質の異なるさまざまな紙巻きたばこが入っていることは周知でありまた一日の異なる時間での喫煙用に品質と濃度の違う紙巻きたばこの選択をユーザーに提供できるよう企図されている。しかしながら、上述の箱は一つの型だけの紙巻きたばこが入っている従来の箱と実質的に同じ外部および内部概観を持つという欠点を有する。そのためユーザーは異なる型の紙巻きたばこを簡単には区別できないし、とりわけ各紙巻きたばこの型を特定できない。
【特許文献１】独国実用新案第２００００７４９７号明細書
【特許文献２】国際公開第０２/３０７９０号パンフレット
【特許文献３】米国特許第１５８８６７７号明細書
【特許文献４】欧州特許出願公開第０７６４５９５号明細書
【特許文献５】欧州特許出願公開第１０６６２０５号明細書
【発明の開示】
【発明が解決しようとする課題】
【０００４】
本発明の目的は細長いたばこ品のパッケージを提供することであり、またそれは周知のパッケージよりもより実用的でありかつ前記の欠点を無くすことである。
【課題を解決するための手段】
【０００５】
本発明により、請求項１あるいは請求項１に直接あるいは間接的に従属する以下の請求項のいずれか一項に記載された細長いたばこ品のパッケージが提供される。
【０００６】
本発明により、請求項２２に記載された包装材料のシートも提供される。
【０００７】
これに限定するものではないが、本発明の多くの実施態様を添付図を参照しながら例示して説明する。
【発明を実施するための最良の形態】
【０００８】
図１における符号１は、明瞭化のため示されていない個々の内部フォイルラッピングで包装された平行６面体形のグループ２と３の二つの紙巻きたばこが整然と入っている紙巻たばこの堅い箱全体を示す。
【０００９】
紙巻きたばこの各グループ２と３にはそれぞれ所定の数（具体的には１０）の対応している型の紙巻きたばこが入っている。
より具体的には、グループ２はいわゆる“light”な紙巻きたばこを含んでいて；グループ３はいわゆる“mild”な紙巻きたばこを含んでおり；また紙巻きたばこは互いに平行にかつ箱１に関して縦方向に配置されている。
【００１０】
図１において、グループ３の紙巻きたばこは各々が対応するフィルター端にそれぞれ黒点Pを持つことでグループ２の紙巻きたばこと区別される。箱１は開口上端部５を有するカップ形容器４と；また容器４に関して、開いた位置（図１）と閉じた位置（示していない）の間をそれぞれ開口端部５を開閉しながら回転するようちょうつがい７に沿って取付けられたカップ形のふた６とを具備している。
【００１１】
容器４は平行６面体形で、二つの広い側壁８と９、二つの狭い側壁１０、および底面壁１１を具備している。
【００１２】
四つの縦方向の縁１２は狭い側壁１０と広い側壁８と９の間に形成されている。また四つの横方向の縁１３は底面壁１１と側面壁８，９および１０の間に形成されている。
添付図では縦方向の縁１２と横方向の縁１３は鮮明な四角い縁である。
【００１３】
ふた６は容器４の縦方向の縁１３と平行にあるちょうつがい７に沿って容器４に取付けられる。
【００１４】
箱１はカラーCを備えていて、そのカラーCは容器４の端５から部分的に突出し、端５の上部に広がっている上縁Eを具備している。
【００１５】
箱１の外表面１４は箱１には二つの異なる型のたばこが入っていることをユーザーに示すマーキング１５を有する。より具体的には、マーキング１５は箱１の中のたばこの型を示す異なる色と形式の印刷された単語を具備している。示されている特例では、マーキング１５は単語１５’“light”と単語１５”“mild”を具備していてもよい。
【００１６】
マーキング１５は広い側壁８と狭い側壁１０の一方の上に位置し、ふた６が開いているか閉じているかにかかわらず目に見える。
【００１７】
単語１５’はユーザーが“light”な紙巻きたばこが独占的に入っている箱１の部分を特定できるようになっている。また単語１５”はユーザーが“mild”な紙巻きたばこが独占的に入っている箱１の部分を特定できるようになっている。この中で使われている用語“独占的に入っている”は、箱のその部分には他に何も入れないということではなく、単にその部分には異なる型のたばこが入っていないことを意味する。すなわち、単語１５’はユーザーがグループ２の紙巻きたばこが入っている箱１の部分を特定できるようになっている。また単語１５”はユーザーがグループ３の紙巻きたばこが入っている箱１の部分を特定できるようになっている。
【００１８】
示されていないが更なる実施態様では、上述の単語に加えてあるいは代りにマーキング１５は外表面１４上のホログラム、レリーフ印及び/又はエンボス加工した要素を含んでいる。
【００１９】
図２は実質的に箱１と同じ箱１６を示していて、要は単語に対比させた二つの異なる色を含むマーキング１５だけが異なっている。箱１６は図２では閉じた形態で示されている。
【００２０】
図３に関して、箱１はほぼ細長い長方形のブランク１７から形成され、ブランクの部分は箱１の対応する部分に関して可能なところは肩文字付きの同一符号を用いて示される。
【００２１】
ブランク１７は二つの縦方向の折れ線１８及び多数の横方向の折れ線１９を具備していて、その多数の横方向の折れ線１９は二つの縦方向の折れ線１８の間で、ふた６の正面壁を定める二つのパネル２０；ふた６の頂上壁を定めるパネル２１；ふた６の背面壁を定めるパネル２２；容器４の広い側壁９を定めるパネル９’；容器４の広い側壁８を定めるパネル８’；および容器４の底面壁の部分を定めるパネル１１’を定めている。上記のパネルは各々ふた６の側壁と狭い側壁１０を形成するそれぞれのタブを有する。
【００２２】
示されていないが更なる実施態様では、マーキング１５と点Pに加えてあるいは代わりに、箱１はユーザーがたばこを区別でき、また特に“light”と“mild”の紙巻きたばこを区別できかつ位置を確定できるようになっているマーキングを具備している。
【００２３】
例えば、
“Light”と“mild”の紙巻きたばこは直径、フィルターの型、及び/又は巻かれている紙が異なっていてもよい；より具体的には、異なる型のフィルターは単語、色、図面及び/又はエンボス加工した要素などのグラフィック要素が異なっていてもよい；また、異なる型の巻紙もまた単語、色、図面及び/又はエンボス加工した要素が異なっていてもよい。外観の違いによって、紙巻きたばこはグループ２と３が混ざっている時でさえユーザーにより特定可能になっている。
【００２４】
カラーCはユーザーが独占的に“light”な紙巻きたばこが入っている箱の部分、また独占的に“mild”な紙巻きたばこが入っている箱の部分を特定できるようになっていてもよい。より具体的には、上縁Eはユーザーが二つの部分を特定できるように形成されているか；あるいは、または加えて、カラーCは単語、色、図面及び/又はエンボス加工した要素などの二つのグラフィック要素を有していてもよい。
【００２５】
グループ２の内部ラッピング（示されていない）はグループ３の内部ラッピング（示されていない）と異なっていてもよい。より具体的には、内部ラッピングは単語、色、図面及び/又はエンボス加工した要素などのさまざまなグラフィック要素を持っていてもよい。
【００２６】
示されていない更なる実施態様では、箱１は容器４を二つの区画に分け、各々には紙巻きたばこの個々のグループ２，３が入っている内壁を有する。
例えば、箱１は特許文献１，２、又は３に記載された紙巻きたばこの箱と共通点があってもよい。
【００２７】
上記および添付図は従来のふた付の紙巻きたばこの箱に関係するが、本発明の教示は紙巻きたばこの“柔”な箱などのいずれの型の紙巻きたばこの箱にも応用できることを示している。
【００２８】
さらに、示されていないが代わりの実施態様では、いくつかの縦方向の縁１２及び/又はいくつかの横方向の縁１３は四角でなく丸みのある又は斜めになった縁になっている。例えば、縦方向の縁１２は四角でなく丸みのある又は斜めになった縁であってよい、あるいは（特許文献４に記載されたたばこの箱の中のように）長い横方向の縁１３（即ち、底面壁１１と広い側壁８，９の間を定めた）は四角でなく丸みのある又は斜めになった縁でもよい；あるいはいくつかの縦方向の縁１２といくつかの横方向の縁１３は、四角でなく丸みのある又は斜めになった縦方向の縁１２と横方向の縁１３を持つように四角でなく丸みのある又は斜めになった縁であってもよい。
【００２９】
示されていないが代わりの実施態様では、箱１は特許文献５に記載されたたばこの箱と共通点があってもよい。；この場合は、広い側壁８，９の各々は外向きに突出していて、そしてそれぞれが四角ではないが鮮明な縦方向の縁１２において、平坦な中心部分および平坦な中心部分を狭い側壁１０につなぐ、二つの曲った側面の折れ目付きの細長い小片を具備している。
【００３０】
上記の箱１と１６は、二〜三の僅かな変更を伴うだけで周知の自動包装機で製作することが迅速かつ容易になることによりさまざまな利点を持つ。更には、マーキング１５は、箱が閉じられている時でさえ、箱１、１６に二つの異なる型のたばこが入っていることを顧客にはっきりと示すことで箱をより実用的にする。
【００３１】
本発明の教示は１カートンの紙巻きたばこあるいは葉巻たばこの箱などの他の型のたばこ品用のパッケージの製造に応用できることも示している。
【図面の簡単な説明】
【００３２】
【図１】図１は本発明による紙巻きたばこの堅い箱の斜視図でかつ開いた形態にある正面図を示す。
【図２】図２は本発明による紙巻きたばこの堅い箱の更なる実施形態の斜視図でかつ閉じた形態にある正面図を示す。
【図３】図３は図１の箱を製作するブランクの平面図を示す。
【符号の説明】
【００３３】
１    パッケージ
２    第一型の紙巻きたばこ
３    第二型の紙巻きたばこ
４    容器
６    ふた
１５    マーキング手段
１６    パッケージ
１７    ブランク
C    カラー
P    黒点
【図１】
2006056603.tif 000003
【図２】
2006056603.tif 000004
【図３】
2006056603.tif 000005
【外国語明細書】
2006056603000001.pdf